(57)【要約】【課題】カード発行時に、効率よく、精度の高い本人認証を行う。【解決手段】個人カードから顔画像及び個人情報を読み取る個人カード読み取り部と、利用者の顔画像を撮像する撮像部と、個人カード読み取り部により読み取られた顔画像、及び撮像部により撮像された顔画像の類似度を算出する類似度算出部と、個人カード読み取り部により読み取られた顔画像、撮像部により撮像された顔画像、及び類似度算出部により算出された類似度を並べて表示する表示部とを備えるカード発行システムを提供する。【選択図】図１
2005276186.tif 000002
【特許請求の範囲】
【請求項１】
個人カードから顔画像及び個人情報を読み取る個人カード読み取り部と、
利用者の顔画像を撮像する撮像部と、
前記個人カード読み取り部により読み取られた顔画像、及び前記撮像部により撮像された顔画像の類似度を算出する類似度算出部と、
前記個人カード読み取り部により読み取られた顔画像、前記撮像部により撮像された顔画像、及び前記類似度算出部により算出された前記類似度を並べて表示する表示部と
を備えるカード発行システム。
【請求項２】
前記個人カード読み取り部により読み取られた顔画像、及び前記撮像部により撮像された顔画像が、同一人物のものであると判断された場合に、新カードの作成を承認する新カード作成承認部と、
前記新カード作成承認部により承認された場合に、前記個人カード読み取り部により読み取られた個人情報、及び前記撮像部により撮像された顔画像を、前記新カードの表面に印刷すると共に前記新カード内に設けられたメモリに格納して、前記新カードを作成する新カード作成部と
を更に備える請求項１に記載のカード発行システム。
【請求項３】
前記新カード作成部は、前記個人カード読み取り部により読み取られた顔画像、及び前記類似度算出部により算出された前記類似度を前記新カード内に設けられたメモリに更に格納する請求項２に記載のカード発行システム。
【請求項４】
更新された個人情報を入力する個人情報入力部
を更に備え、
前記新カード作成部は、前記新カード作成承認部により承認された場合に、前記個人情報入力部により入力された、更新された個人情報、及び前記撮像部により撮像された顔画像を、前記新カードの表面に印刷すると共に前記新カード内に設けられたメモリに格納して、前記新カードを作成する
請求項２に記載のカード発行システム。
【請求項５】
前記新カード作成部により前記新カードが作成されたことを条件として、前記個人カードにおいて、当該個人カードの情報を保持する電気回路の少なくとも一部が内部に設けられている位置に穴を空けることにより、当該個人カードを破棄する個人カード破棄部を更に備えた請求項２に記載のカード発行システム。
【請求項６】
前記個人カード破棄部により、前記個人カードにおいて、当該個人カードの情報を保持する前記電気回路の少なくとも一部が内部に設けられている位置に穴が空けられたことを条件として、前記新カード作成部により作成された前記新カードを排出して発行する新カード発行部を更に備えた請求項５に記載のカード発行システム。
【請求項７】
前記撮像部における前記利用者の顔画像の撮像条件を、前記個人カードに格納されている顔画像の撮像条件と略同一になるべく制御する撮像制御部を更に備える請求項２に記載のカード発行システム。
【請求項８】
前記撮像制御部は、前記個人カード読み取り部が前記個人カードから読み取った顔画像に基づいて、前記撮像部における前記利用者の顔画像の撮像条件を制御する請求項７に記載のカード発行システム。
【請求項９】
前記個人カード読み取り部は、前記個人カードから、前記個人カードに格納されている顔画像の撮像条件を示す撮像条件情報を更に読み取り、
前記撮像制御部は、前記撮像部における前記利用者の顔画像の撮像条件を、前記撮像条件情報により示される撮像条件と略同一となるべく制御する
請求項７に記載のカード発行システム。
【請求項１０】
前記新カード作成部は、前記撮像部における前記利用者の顔画像の撮像条件を示す前記撮像条件情報を、前記新カード内に設けられたメモリに更に格納して、前記新カードを作成する請求項９に記載のカード発行システム。
【請求項１１】
前記新カード作成部は、前記個人カード読み取り部により読み取られた顔画像を前記新カードの表面に印刷すると共に、前記撮像部により撮像された顔画像を前記新カード内に設けられたメモリに格納して、前記新カードを作成する請求項２に記載のカード発行システム。
【請求項１２】
前記類似度算出部により算出された前記類似度が予め定められた基準値より低い場合に、前記個人カード読み取り部により読み取られた顔画像、及び前記撮像部により撮像された顔画像の相違点を検出する相違点検出部
を更に備え、
前記表示部は、前記類似度算出部により算出された前記類似度が予め定められた基準値より低い場合に、検出された前記相違点を表示する
請求項１に記載のカード発行システム。
【請求項１３】
前記表示部は、前記類似度算出部により算出された前記類似度が予め定められた基準値より低い場合に、検出された前記相違点を示す領域を、それぞれの顔画像において枠で囲んで表示する請求項１２に記載のカード発行システム。
【請求項１４】
個人カードから顔画像及び個人情報を読み取る個人カード読み取り段階と、
利用者の顔画像を撮像する撮像段階と、
前記個人カード読み取り段階において読み取られた顔画像、及び前記撮像段階において撮像された顔画像の類似度を算出する類似度算出段階と、
前記個人カード読み取り段階において読み取られた顔画像、前記撮像段階において撮像された顔画像、及び前記類似度算出段階において算出された前記類似度を並べて表示する表示段階と
を備えるカード発行方法。
【請求項１５】
カード発行装置としてコンピュータを機能させるカード発行プログラムであって、
前記コンピュータを、
個人カードから顔画像及び個人情報を読み取る個人カード読み取り部と、
利用者の顔画像を撮像する撮像部と、
前記個人カード読み取り部により読み取られた顔画像、及び前記撮像部により撮像された顔画像の類似度を算出する類似度算出部と、
前記個人カード読み取り部により読み取られた顔画像、前記撮像部により撮像された顔画像、及び前記類似度算出部により算出された前記類似度を並べて表示する表示部と
を備えたカード発行装置として機能させるカード発行プログラム。
【発明の詳細な説明】
【技術分野】
【０００１】
本発明は、カード発行システム、カード発行方法、及びカード発行プログラムに関する。特に本発明は、顔画像が表面に印刷されたカードを発行するカード発行システム、カード発行方法、及びカード発行プログラムに関する。
【背景技術】
【０００２】
従来、利用者が所有しているカードを更新して、新しいカードを発行するシステムが知られている（例えば、特許文献１参照。）。
従来のカード発行システムにおいては、カードに印刷された顔画像と、その場で利用者を撮像して得られた顔画像とを係員等が見比べることにより、利用者が本当に更新対象のカードの所有者であるか否かを確認する、所謂本人認証を行っている。例え同一人物であったとしても、顔の外観は年月と共に幾らか変化する場合があるので、目視による本人認証は、十分に高い精度を確保するという点で重要である。
【特許文献１】特開２０００−３３８６
【発明の開示】
【発明が解決しようとする課題】
【０００３】
しかしながら、熟練者であっても、十分に高い精度を維持しながらの顔画像の確認には一定の時間を要するので、従来のカード発行システムは、多数の利用者が存在する場合には、効率が悪く、利用者にとっての利便性が低下するという問題があった。
【課題を解決するための手段】
【０００４】
上記課題を解決するために、本発明の第１の形態においては、カード発行システムであって、個人カードから顔画像及び個人情報を読み取る個人カード読み取り部と、利用者の顔画像を撮像する撮像部と、個人カード読み取り部により読み取られた顔画像、及び撮像部により撮像された顔画像の類似度を算出する類似度算出部と、個人カード読み取り部により読み取られた顔画像、撮像部により撮像された顔画像、及び類似度算出部により算出された類似度を並べて表示する表示部とを備える。
【０００５】
当該カード発行システムは、個人カード読み取り部により読み取られた顔画像、及び撮像部により撮像された顔画像が、同一人物のものであると判断された場合に、新カードの作成を承認する新カード作成承認部と、新カード作成承認部により承認された場合に、個人カード読み取り部により読み取られた個人情報、及び撮像部により撮像された顔画像を、新カードの表面に印刷すると共に新カード内に設けられたメモリに格納して、新カードを作成する新カード作成部とを更に備えてもよい。新カード作成部は、個人カード読み取り部により読み取られた顔画像、及び類似度算出部により算出された類似度を新カード内に設けられたメモリに更に格納してもよい。当該カード発行システムは、更新された個人情報を入力する個人情報入力部を更に備え、新カード作成部は、新カード作成承認部により承認された場合に、個人情報入力部により入力された、更新された個人情報、及び撮像部により撮像された顔画像を、新カードの表面に印刷すると共に新カード内に設けられたメモリに格納して、新カードを作成してもよい。
【０００６】
当該カード発行システムは、新カード作成部により新カードが作成されたことを条件として、個人カードにおいて、当該個人カードの情報を保持する電気回路の少なくとも一部が内部に設けられている位置に穴を空けることにより、当該個人カードを破棄する個人カード破棄部を更に備えてもよい。当該カード発行システムは、個人カード破棄部により、個人カードにおいて、当該個人カードの情報を保持する電気回路の少なくとも一部が内部に設けられている位置に穴が空けられたことを条件として、新カード作成部により作成された新カードを排出して発行する新カード発行部を更に備えてもよい。
【０００７】
当該カード発行システムは、撮像部における利用者の顔画像の撮像条件を、個人カードに格納されている顔画像の撮像条件と略同一になるべく制御する撮像制御部を更に備えてもよい。撮像制御部は、個人カード読み取り部が個人カードから読み取った顔画像に基づいて、撮像部における利用者の顔画像の撮像条件を制御してもよい。個人カード読み取り部は、個人カードから、個人カードに格納されている顔画像の撮像条件を示す撮像条件情報を更に読み取り、撮像制御部は、撮像部における利用者の顔画像の撮像条件を、撮像条件情報により示される撮像条件と略同一となるべく制御してもよい。新カード作成部は、撮像部における利用者の顔画像の撮像条件を示す撮像条件情報を、新カード内に設けられたメモリに更に格納して、新カードを作成してもよい。
【０００８】
新カード作成部は、個人カード読み取り部により読み取られた顔画像を新カードの表面に印刷すると共に、撮像部により撮像された顔画像を新カード内に設けられたメモリに格納して、新カードを作成してもよい。当該カード発行システムは、類似度算出部により算出された類似度が予め定められた基準値より低い場合に、個人カード読み取り部により読み取られた顔画像、及び撮像部により撮像された顔画像の相違点を検出する相違点検出部を更に備え、表示部は、類似度算出部により算出された類似度が予め定められた基準値より低い場合に、検出された相違点を表示してもよい。表示部は、類似度算出部により算出された類似度が予め定められた基準値より低い場合に、検出された相違点を示す領域を、それぞれの顔画像において枠で囲んで表示してもよい。
【０００９】
本発明の第２の形態においては、カード発行方法であって、個人カードから顔画像及び個人情報を読み取る個人カード読み取り段階と、利用者の顔画像を撮像する撮像段階と、個人カード読み取り段階において読み取られた顔画像、及び撮像段階において撮像された顔画像の類似度を算出する類似度算出段階と、個人カード読み取り段階において読み取られた顔画像、撮像段階において撮像された顔画像、及び類似度算出段階において算出された類似度を並べて表示する表示段階とを備える。
【００１０】
本発明の第３の形態においては、カード発行装置としてコンピュータを機能させるカード発行プログラムであって、コンピュータを、個人カードから顔画像及び個人情報を読み取る個人カード読み取り部と、利用者の顔画像を撮像する撮像部と、個人カード読み取り部により読み取られた顔画像、及び撮像部により撮像された顔画像の類似度を算出する類似度算出部と、個人カード読み取り部により読み取られた顔画像、撮像部により撮像された顔画像、及び類似度算出部により算出された類似度を並べて表示する表示部とを備えたカード発行装置として機能させる。
【００１１】
なお、上記の発明の概要は、本発明の必要な特徴の全てを列挙したものではなく、これらの特徴群のサブコンビネーションもまた、発明となりうる。
【発明の効果】
【００１２】
本発明によれば、効率よく、精度の高い本人認証を行うことができる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、本実施形態に係るカード発行システム１０の構成の一例を示すブロック図である。カード発行システム１０は、例えば、運転免許証や社員証、各種会員カード等、個人情報（個人特定情報）が記録されているカード型の記録媒体を発行する。本発明においては、利用者が予め所有しているカード型記録媒体を「個人カード」と表記し、カード発行システム１０により新たに発行されるカード型記録媒体を「新カード」と表記する。
【００１５】
ここで、個人カード及び新カードは、例えば、メモリを含むＩＣチップを有するＩＣカード（スマートカード）であり、メモリに個人情報を格納する。また、個人カード及び新カードは、磁気ストライプに個人情報を記録する磁気ストライプカードであってもよく、バーコード及び二次元コードにより個人情報を記録するカードであってもよい。また、本実施形態において、カード発行システム１０は、個人カード及び新カードとして、同じ種類のカードを扱ってよい。この場合、カード発行システム１０は、例えば運転免許証等のカードの更新に用いられる。また、これに変えて、カード発行システム１０は、個人カード及び新カードとして、互いに異なるカードを扱ってもよい。
【００１６】
本実施形態に係るカード発行システム１０は、個人カードに記録された個人情報に基づいて新カードを作成すると共に、新カードの発行を申請する利用者が、個人カードの所有者であるか否かを確認する、所謂本人認証を、効率よく、かつ高い精度で行うことを目的とする。
【００１７】
カード発行システム１０は、個人カード読み取り部１０２及び個人カード破棄部１０４を有する個人カード制御部１００と、撮像部１１０と、撮像制御部１１５と、類似度算出部１２０と、相違点検出部１２５と、表示部１３０と、新カード作成承認部１４０と、個人情報入力部１５０と、新カード作成部１６２及び新カード発行部１６８を有する新カード制御部１６０とを備える。
【００１８】
個人カード読み取り部１０２は、個人カードから顔画像及び個人情報を読み取り、読み取った顔画像（以降、旧顔画像と表記する）、及び個人情報を、撮像制御部１１５、類似度算出部１２０、表示部１３０、及び新カード作成部１６２に出力する。撮像部１１０は、利用者の顔画像を撮像し、撮像した顔画像（以降、新顔画像と表記する）を、類似度算出部１２０、表示部１３０、及び新カード作成部１６２に出力する。撮像制御部１１５は、撮像部１１０における新顔画像の撮像条件を、旧顔画像の撮像条件と略同一になるべく制御する。
【００１９】
類似度算出部１２０は、旧顔画像及び新顔画像の類似度を算出する。ここで、類似度とは、旧顔画像と新顔画像とが、どの程度似ているかを示す指標であり、画像処理等により算出されてよい。そして、類似度算出部１２０は、算出した類似度を、表示部１３０及び新カード作成部１６２に出力する。また、類似度算出部１２０は、旧顔画像、新顔画像、及び算出した類似度を、相違点検出部１２５に出力する。相違点検出部１２５は、類似度算出部１２０により算出された、旧顔画像及び新顔画像の類似度が、予め定められた基準値より低い場合に、旧顔画像及び新顔画像の相違点を検出する。そして、相違点検出部１２５は、検出した相違点を示す情報を、表示部１３０に出力する。
【００２０】
表示部１３０は、旧顔画像、新顔画像、及び類似度算出部１２０により算出された類似度を、ディスプレイモニタ等に表示する。例えば、表示部１３０は、旧顔画像、新顔画像、及び類似度を並べて表示しても良い。これにより、カード発行システム１０のオペレータが、容易に、旧顔画像、新顔画像、及び類似度を相互に参照することができる。また、表示部１３０は、旧顔画像及び新顔画像の少なくとも一方と、類似度とを、重ね合わせて表示してもよい。また、表示部１３０は、類似度算出部１２０により算出された類似度が予め定められた基準値より低い場合には、相違点検出部１２５により検出された、旧顔画像及び新顔画像の相違点を表示してもよい。
【００２１】
新カード作成承認部１４０は、旧顔画像及び新顔画像が同一人物のものであると判断された場合に、新カードの作成を承認する。例えば、カード発行システム１０のオペレータが、表示部１３０により表示された、旧顔画像、新顔画像、及びそれらの類似度に基づいて、旧顔画像及び新顔画像が同一人部のものであるか否かを判断し、その結果を、図示しない入力手段を用いてカード発行システム１０に入力する。そして、新カード作成承認部１４０は、入力された判断結果に基づいて、新カードの作成を承認する。これに代えて、新カード作成承認部１４０は、例えば、類似度が予め定められた基準値以上である場合には、旧顔画像及び新顔画像が同一人物のものであると判断し、新カードの作成を承認してもよい。そして、新カード作成承認部１４０は、新カードの作成を承認するか否かを、新カード作成部１６２に通知する。個人情報入力部１５０は、更新された個人情報を入力し、入力した個人情報を新カード作成部１６２に出力する。
【００２２】
新カード作成部１６２は、新カード印刷部１６４及び新カード格納部１６６を含む。新カード印刷部１６４は、新カード作成承認部１４０により新カードの作成が承認された場合に、個人カード読み取り部１０２により読み取られた個人情報、及び新顔画像を新カードの表面に印刷して、新カードを作成する。また、新カード印刷部１６４は、個人情報入力部１５０により、更新された個人情報が入力された場合には、当該更新された個人情報、及び新顔画像を新カードの表面に印刷して、新カードを作成してもよい。
【００２３】
新カード格納部１６６は、個人カード読み取り部１０２により読み取られた個人情報及び新顔画像を、新カードに設けられた記憶領域に格納する。具体的には、新カード格納部１６６は、新カードがＩＣカードであった場合、新カード内に設けられたメモリに個人情報及び新顔画像を格納する。また、新カード格納部１６６は、新カードが磁気ストライプカードであった場合、新カードに設けられた磁気ストライプに個人情報及び新顔画像を記録する。また、新カード格納部１６６は、新カードがバーコード又は二次元コードにより情報を保持するカードであった場合には、個人情報及び新顔画像をバーコード又は二次元コードにエンコードして、新カード印刷部１６４により当該バーコード又は二次元コードを印刷させてもよい。また、新カード格納部１６６は、旧顔画像、類似度算出部１２０により算出された旧顔画像と新顔画像との類似度、及び個人情報入力部１５０により入力された、更新された個人情報の少なくとも１つを、新カードに更に格納してもよい。
【００２４】
そして、新カード作成部１６２は、新カード印刷部１６４による新カードの表面への個人情報及び新顔画像の印刷、及び新カード格納部１６６による新カードへの各種情報の格納が行われた場合に、新カードの作成が完了した旨を個人カード破棄部１０４に通知する。個人カード破棄部１０４は、新カード作成部１６２により新カードが作成されたことを条件として、個人カードを利用不可能にするべく破棄する。ここで、個人カードを更新することにより新カードを発行するのではない場合には、個人カード破棄部１０４は、個人カードを破棄しなくともよい。そして、個人カード破棄部１０４は、個人カードを破棄した旨を、新カード発行部１６８に通知する。新カード発行部１６８は、個人カード破棄部１０４により個人カードが破棄されたことを条件として、新カード作成部１６２により作成された新カードを利用者に発行する。
【００２５】
本発明の実施形態に係るカード発行システム１０によれば、個人カードから読み取られた個人情報に基づいて新カードの個人情報を作成することにより、新カード発行の申請書類等への個人情報の記入といった工程を削減することができ、利用者の利便性が向上する。
【００２６】
また、本発明の実施形態に係るカード発行システム１０によれば、オペレータが利用者の本人認証を行う場合に、旧顔画像と新顔画像とを目視により詳細に比較して、同一人物のものであるか否かを判断する作業を、表示された類似度が予め定めた基準値より低い場合に限って行うことにより、全ての場合において目視により判断する場合に比べて、効率よく本人認証を行うことができる。
【００２７】
２つの顔画像を比較することによって、それぞれの顔画像における被写体が同一人物であるか否かを判断する場合において、それぞれの顔画像における撮像方向や照明の方向等の撮像条件が異なる場合には、それぞれの被写体が同一人物であっても、異なる人物として判断されることがある。しかし、本発明の実施形態に係るカード発行システム１０によれば、新顔画像の撮像条件を、旧顔画像の撮像条件と略同一にすることができるので、それぞれの顔画像の被写体が同一人物であるか否かをより高い精度で判定したり、それぞれの顔画像の類似度をより高い精度で算出したりすることができる。
【００２８】
また、カード発行システム１０によれば、旧顔画像及び新顔画像が、十分に高い類似度で類似していない場合には、それぞれの顔画像の相違点を表示することにより、オペレータが、旧顔画像及び新顔画像の被写体が同一人物であるか否かを目視によって判断する場合において、より効率よく、また、より高い精度で当該判断を行うことができる。
【００２９】
図２は、本実施形態に係る類似度算出部１２０における処理の一例を示す。類似度算出部１２０は、個人カード読み取り部１０２により読み取られた旧顔画像に対して、公知の方法を用いてエッジ抽出処理を行うことにより、顔画像２５０を取得する。また、類似度算出部１２０は、撮像部１１０により撮像された新顔画像に対して、エッジ抽出処理を行うことにより、顔画像２５２を取得する。続いて、類似度算出部１２０は、顔画像２５０における顔の輪郭線２５４を検出する。そして、類似度算出部１２０は、検出した顔の輪郭線２５４における中心軸２５６及び２５８を検出する。また、類似度算出部１２０は、顔画像２５２における顔の輪郭線２６０を検出する。そして、類似度算出部１２０は、検出した顔の輪郭線２６０における中心軸２６２及び２６４を検出する。
【００３０】
続いて、類似度算出部１２０は、中心軸２５６及び２６２、並びに中心軸２５８及び２６４のそれぞれを一致させると共に、顔の輪郭線２５４及び２６０のそれぞれに囲まれた領域の大きさを略同一とするべく、少なくとも一方の顔画像に対して、平行移動、及び拡大又は縮小処理を行う。このようにして、類似度算出部１２０は、顔部分の位置及び大きさがほぼ一致した旧顔画像２６６及び新顔画像２６８を取得する。
【００３１】
そして、類似度算出部１２０は、取得した旧顔画像２６６及び新顔画像２６８における顔の輪郭線で囲まれた領域の画像のそれぞれを画素毎に比較し、一致する画素の割合を類似度として算出する。これに代えて、類似度算出部１２０は、目や口等の特徴的な部分毎に画像を比較して類似度を算出してもよい。また、類似度算出部１２０は、画素毎の比較ではなく、顔の部分毎に抽出された輪郭形状等の特徴量の一致度を類似度として算出してもよい。
【００３２】
図３は、本実施形態に係る新カード２００に設けられた記憶領域に格納された情報の一例を示す。カード発行システム１０は、新カード２００に設けられた記憶領域に、旧顔画像、新顔画像、類似度、及び個人情報を格納する。ここで、個人情報とは、例えば、住所、氏名、生年月日等であり、更に、新カード２００の有効期限や交付年月日を含んでいてもよい。カード発行システム１０は、新カード２００に新顔画像だけでなく旧顔画像も格納することにより、新カード２００を個人カードとして他の新カードを作成する場合に、撮像部１１０により撮像された顔画像を、新カード２００に格納された旧顔画像及び新顔画像のそれぞれと比較して、利用者が新カード２００の所有者であるか否かをより高い精度で判定することができる。
【００３３】
また、例えば運転免許証等の有効期限付きのカードを繰り返し更新する場合に、カード発行システム１０は、最初にカードを発行した際に撮像部１１０により撮像された顔画像、カードを更新する毎に撮像部１１０により撮像された複数の顔画像、及びカードを更新する毎に類似度算出部１２０により算出された複数の類似度を、新カード２００に格納してもよい。これにより、カード発行システム１０は、顔画像又は類似度の経年変化に基づいて現在の顔画像を予測することにより、経年変化を加味した類似度を算出して、より精度の高い本人認証を行うことができる。
【００３４】
図４は、本実施形態に係る個人カード３００における電気回路の一例を示す。個人カード３００は、顔画像及び個人情報の処理及び格納を行う、メモリを含むＩＣチップ３１０と、ＩＣチップ３１０に接続された回路配線３２０とを有する。個人カード破棄部１０４は、新カード作成部１６２により新カードが作成されたことを条件として、個人カード３００を再利用不可能に破棄する。例えば、個人カード破棄部１０４は、個人カード３００において、個人カード３００の情報を保持する電気回路の少なくとも一部が内部に設けられた位置に穴を空けることにより、個人カード３００を破棄する。ここで、個人カード３００においては、カード破棄時に穴を空ける位置として予め定められた領域に、他の領域よりも高い密度で電気回路が設けられていることが望ましい。これにより、個人カード破棄部１０４が個人カード３００に穴を空けた場合に、より確実に個人カード３００を再利用不可能に破棄することができる。また、電気回路とは、回路配線に限定されず、回路配線に接続されたメモリ等のＩＣチップを含んでいてもよい。
【００３５】
本図に示した個人カード３００の場合、高い密度で電気回路が設けられている領域が他の領域よりも広いので、カード破棄時に穴を空ける位置を広い範囲から選択することにより、容易に個人カード３００を破棄することができる。また、個人カード３００が磁気ストライプカードやバーコード又は二次元コードが記載されたカードである場合、個人カード破棄部１０４は、磁気ストライプやバーコード又は二次元コードが記載された部分に穴を空けたり、傷を付けたりすることにより、個人カード３００を破棄してもよい。
【００３６】
本実施形態に係るカード発行システム１０によれば、個人カードを更新して新カードを発行する場合に、新カードが作成されたことを条件として個人カードを再利用不可能に破棄することにより、新カード発行後の個人カードの不正利用を防止することができる。また、カード発行システム１０は、個人カードを破棄する場合に、物理的に個人カードを利用不可能とすることにより、個人カードの不正利用の防止をより厳密に実行することができる。
【００３７】
図５は、本実施形態に係るカード発行システム１０における処理の流れの一例を示すフローチャートである。本例において、カード発行システム１０は、利用者が所有する個人カードを更新した新カードを発行する。まず、個人カード読み取り部１０２は、例えば、利用者によって、カード発行システム１０に設けられたスロットに個人カードが挿入されたことを検出して、個人カードから旧顔画像及び個人情報を読み取る（Ｓ１０００）。ここで、個人カード読み取り部１０２は、個人カードが有するＩＣチップに格納された旧顔画像及び個人情報を読み取ってもよく、また、個人カードの表面に印刷された顔写真及び個人情報を、スキャナ等を用いて読み取ってもよい。また、本例に係るカード発行システム１０において、挿入された個人カードをカード発行システム１０の利用中に取り出されないようにロックするか、又は取り出された時点で新カードの発行処理を中止することが、後述する、新カード発行後における個人カードの不正利用の防止においては望ましい。また、個人カード読み取り部１０２は、個人カードから、旧顔画像の撮像条件を示す撮像条件情報を更に読み取ってもよい。ここで、撮像条件情報とは、例えば、露出、ホワイトバランス、撮像方向、照明の強度、照明の方向、及び被写体の表情といった、多様な情報を含んでいてよい。
【００３８】
続いて、撮像制御部１１５は、撮像部１１０における新顔画像の撮像条件を、旧顔画像の撮像条件と略同一になるべく制御する（Ｓ１００２）。ここで、撮像制御部１１５は、個人カード読み取り部１０２が個人カードから読み取った旧顔画像に基づいて、撮像部１１０における新顔画像の撮像条件を制御してよい。具体的には、撮像制御部１１５は、旧顔画像に対して公知の画像処理を行った結果として得られた、旧顔画像の撮像条件に基づいて、新顔画像の撮像条件を制御してよい。
【００３９】
例えば、撮像制御部１１５は、旧顔画像全体における輝度の平均値と、新顔画像における輝度の平均値とが略同一となるべく、撮像部１１０における露出を制御してよい。また、撮像制御部１１５は、例えば、旧顔画像における色分布と、新顔画像における色分布とが略同一となるべく、撮像部１１０におけるホワイトバランスを制御してよい。また、撮像制御部１１５は、例えば、公知の画像処理技術を用いて算出した、旧顔画像における顔の向きと、略同一の向きで利用者の顔が撮像されるべく、撮像部１１０の位置、及び撮像方向を制御してよい。また、撮像制御部１１５は、例えば、旧顔画像全体における輝度の平均値、及び旧顔画像に含まれる画素における輝度の分布（例えば、最も明るい画素と、最も暗い画素との輝度の差等）に基づいて、旧顔画像が撮像された時の照明の強度を算出すると共に、カード発行システム１０に設けられた照明の強度を、当該算出した強度と略同一にするべく制御してよい。また、撮像制御部１１５は、例えば、旧顔画像において、被写体である顔の左右または上下の部分における輝度の平均値の差に基づいて、旧顔画像が撮像された時に、被写体の顔に対して何れの方向から照明が当てられていたかを検出すると共に、カード発行システム１０に設けられた照明が、当該検出した方向から利用者の顔を照らすべく、当該照明の位置、及び方向を制御してよい。また、撮像制御部１１５は、例えば、旧顔画像における、被写体の眉、目、鼻、及び口といった各部分の、顔画像内の位置や形状を示す特徴を抽出する。そして、撮像制御部１１５は、笑った顔、怒った顔、及び泣いた顔といった被写体の表情と、眉、目、鼻、及び口といった顔の各部分の位置や形状を示す特徴とを対応づけて格納している表情データベース、並びに旧顔画像から抽出した特徴を用いて、旧顔画像における被写体の表情を検出する。そして、撮像制御部１１５は、例えば、撮像部１１０が利用者の顔画像を撮像する前に、「笑って下さい」という音声をスピーカから発する等して、旧顔画像における被写体の表情と同じ表情で新顔画像が撮像されるようにし向けてもよい。以上のようにして、顔画像から得られる情報に基づいて、旧顔画像の撮像条件と、新顔画像の撮像条件とが略同一となるべく、撮像部１１０における撮像条件を制御することにより、それぞれの顔画像の被写体が同一人物であるか否かをより高い精度で判定したり、それぞれの顔画像の類似度をより高い精度で算出したりすることができる。
【００４０】
また、個人カード読み取り部１０２が、個人カードから旧顔画像の撮像条件情報を読み取っている場合、撮像制御部１１５は、撮像部１１０における新顔画像の撮像条件を、個人カードから読み取られた撮像条件情報により示される撮像条件と略同一となるべく制御してもよい。例えば、撮像制御部１１５は、旧顔画像の撮像条件情報に基づいて、撮像部１１０の露出、ホワイトバランス、被写体に対する撮像方向、照明の強度、及び照明の方向等を制御してよい。また、例えば、撮像制御部１１５は、旧顔画像における被写体の表情と同じ表情で新顔画像が撮像されるようにし向けてもよい。個人カードに格納されている、旧顔画像を撮像した時の撮像条件を示す撮像条件情報に基づいて、旧顔画像の撮像条件と、新顔画像の撮像条件とが略同一となるべく、撮像部１１０における撮像条件を制御することにより、それぞれの顔画像の被写体が同一人物であるか否かをより高い精度で判定したり、それぞれの顔画像の類似度をより高い精度で算出したりすることができる。
【００４１】
なお、本例においては、撮像制御部１１５が、撮像部１１０における撮像条件を制御することにより、旧顔画像の撮像条件と新顔画像の撮像条件とを略同一としたが、これに代えて、既に撮像部１１０によって撮像された新顔画像に対して、例えば色補正処理等の画像処理を行うことにより、旧顔画像の撮像条件と新顔画像の撮像条件とを、見かけ上略同一としてもよい。
【００４２】
続いて、撮像部１１０は、新カードの発行を申請した利用者の顔画像である新顔画像を撮像する（Ｓ１０１０）。続いて、類似度算出部１２０は、旧顔画像と新顔画像との類似度を算出する（Ｓ１０２０）。続いて、表示部１３０は、旧顔画像、新顔画像、及びそれらの類似度を表示する（Ｓ１０３０）。ここで、表示部１３０は、類似度を例えば８０％等のパーセント表記で表示してもよく、また、例えばＡ／Ｂ／Ｃ等の段階表記で表示してもよい。
【００４３】
続いて、カード発行システム１０は、類似度算出部１２０により算出された類似度が、予め定められた基準値より低いか否かを判定する（Ｓ１０３２）。ここで、予め定められた基準値とは、例えば、オペレータが旧顔画像と新顔画像とを目視により比較して、それぞれの顔画像の被写体が同一人物であるか否かを判断する必要がある場合の、類似度の最大値であってよく、カード発行システム１０の管理者やオペレータ等によって、例えば７５％等として予め定められていてよい。
【００４４】
そして、類似度が基準値より低いと判定された場合に（Ｓ１０３２：Ｙｅｓ）、相違点検出部１２５は、旧顔画像及び新顔画像の相違点を検出する（Ｓ１０３４）。ここで、相違点とは、例えば、顔画像における領域や、顔の部位であってよい。例えば、相違点検出部１２５は、類似度算出部１２０において、旧顔画像と新顔画像とが比較された場合に、画素値の一致度が低いと判定された領域や、顔画像から抽出された特徴量の一致度が低いと判定された顔の部位等を検出してよい。
【００４５】
続いて、表示部１３０は、相違点検出部１２５により検出された、旧顔画像及び新顔画像の相違点を表示する（Ｓ１０３６）。例えば、表示部１３０は、検出された相違点を示す領域を、旧顔画像及び新顔画像のそれぞれにおいて枠で囲んで表示してよい。これにより、例えば、旧顔画像と新顔画像とを目視により比較する場合に、オペレータが、それぞれの顔画像において何れの部分が相違しているかを容易に把握することができるので、より効率よく、またより高い精度で、利用者の個人認証を行うことができる。なお、表示部１３０は、相違点を示す部分を枠で囲んで表示するのに代えて、例えば、相違点を示す部分のみを表示したり、また、相違点である顔の部位の名称を表示したりしてもよい。
【００４６】
続いて、新カード作成承認部１４０は、旧顔画像及び新顔画像が同一人物のものであると判断されたか否かに基づいて、新カードの作成を承認するか否認するかを決定する（Ｓ１０４０）。ここで、表示部１３０により表示された類似度が、予め定められた基準値、例えば７５％を下回っている、或いは、予め定められた段階、例えばＡを下回っているとオペレータにより認識された場合に、オペレータは、表示部１３０により類似度に並べて表示されている旧画像及び新画像を見比べて、それぞれの顔画像が同一人物のものであるか否かを判断し、その結果を例えば入力端末に設けられたボタン等により入力してカード発行システム１０に通知し、カード発行システム１０に新カードの作成の承認又は否認を行わせる。これにより、最終的にオペレータの目視によって旧顔画像と新顔画像との比較が行われるので、精度よく本人認証を行うことができる。
【００４７】
これに代えて、カード発行システム１０は、類似度が予め定められた基準値、例えば７５％を下回っている場合には、自動的に新カードの作成を否認してもよい。これにより、カード発行システム１０によって、旧顔画像及び新顔画像が同一人物のものであるか否かを高い精度で判定できる場合には、本人認証を自動化することができるので、新カードの作成にかかる時間を短縮することができ、利用者の利便性が向上する。
【００４８】
新カードの作成が否認された場合（Ｓ１０４０：Ｎｏ）、カード発行システム１０は、新カードの発行処理を中止して、挿入された個人カードを排出することにより、利用者に返却する。新カードの作成が承認された場合（Ｓ１０４０：Ｙｅｓ）、個人情報入力部１５０は、必要に応じて、更新された個人情報を入力する（Ｓ１０５０）。例えば、個人情報入力部１５０は、利用者が、個人カードに記録されている個人情報とは異なる内容の個人情報を用いた新カードの発行を所望する場合に、入力端末等により入力された個人情報を受け取ることにより、更新された個人情報を入力する。また、例えば、個人情報入力部１５０は、利用者が所有している他のカードから個人情報を読み取ることにより、更新された個人情報を入力してもよい。新カードに印刷及び記録する個人情報として、他のカードから読み取った個人情報を用いることにより、申請書類等に個人情報を記入するという作業が不要になり、利用者の利便性が向上する。
【００４９】
続いて、新カード印刷部１６４は、個人カード読み取り部１０２により読み取られた個人情報、乃至は個人情報入力部１５０により入力された個人情報、及び撮像部１１０により撮像された新顔画像を、例えばカード発行システム１０にストックされているブランクカードの表面に印刷して、新カードを作成する（Ｓ１０６０）。続いて、新カード格納部１６６は、個人カード読み取り部１０２により読み取られた個人情報、乃至は個人情報入力部１５０により入力された個人情報、旧顔画像、新顔画像、及び類似度を、例えば新カード内に設けられたメモリ等に格納する（Ｓ１０７０）。ここで、新カード格納部１６６は、撮像部１１０における新顔画像の撮像条件を示す撮像条件情報を、新カード内に設けられたメモリ等に更に格納してもよい。これにより、次に当該新カードを用いて、他の新カードを発行する場合に、旧顔画像の撮像条件と新顔画像の撮像条件とが略同一となるべく、撮像部１１０の撮像条件を制御する処理を、より精度よく実行することができる。
【００５０】
続いて、個人カード破棄部１０４は、新カードが作成されたことを条件として、個人カードを再利用不可能にすべく、個人カードを破棄する（Ｓ１０８０）。続いて、新カード発行部１６８は、個人カード破棄部１０４により個人カードが破棄されたことを条件として、作成された新カードを排出して発行する（Ｓ１０９０）。カード発行システム１０は、例えば、利用者がスロットに挿入した個人カードを、カード発行システム１０の利用中には取り出せないようにしていた場合に、個人カードの破棄を確認してから新カードを発行することにより、利用者が、個人カードと新カードとの何れか一方しか、利用可能に所有できないようにすることができる。これにより、新カードを発行した後の、個人カードの不正利用を防止することができる。
【００５１】
なお、本例において、新カード作成部１６２は、新カードを作成する場合において、撮像部１１０によって撮像された新顔画像を、新カードの表面に印刷する顔画像、及び新カード内に設けられたメモリに格納する顔画像の双方として用いると説明した。しかし、新カード作成部１６２は、これに代えて、旧顔画像を新カードの表面に印刷すると共に、撮像部１１０により撮像された新顔画像を新カード内に設けられたメモリに格納して、新カードを作成してもよい。これにより、例えば、利用者が、旧顔画像を気に入っている場合等に、カードを更新した後であっても、旧顔画像を新カードの表面に印刷する顔画像として用い続けることができる。一方で、新カード内のメモリに格納する顔画像として、撮像部１１０によって撮像された新顔画像を用いることにより、次にカードを更新する時の個人認証において、より新しい顔画像を用いることができるので、カードの更新における個人認証を、高い精度で行うことができる。
【００５２】
図６は、Ｓ１０２０の詳細の一例を示すフローチャートである。まず、類似度算出部１２０は、旧顔画像及び新顔画像それぞれのエッジ部分を抽出した顔画像を取得する（Ｓ１１００）。続いて、類似度算出部１２０は、それぞれの顔画像において顔の輪郭線を検出する（Ｓ１１１０）。続いて、類似度算出部１２０は、検出した顔の輪郭線における中心軸を求める（Ｓ１１２０）。続いて、類似度算出部１２０は、中心軸を一致させると共に、それぞれの画像における顔の輪郭線で囲まれた領域の大きさを合わせるべく、顔画像の平行移動、及び拡大又は縮小処理を行う（Ｓ１１３０）。続いて、類似度算出部１２０は、それぞれの顔画像における顔の輪郭線で囲まれた領域の画像を画素毎に比較し、一致する画素の割合を類似度として算出する（Ｓ１１４０）。
【００５３】
図７は、本実施形態に係るカード発行システム１０として機能するコンピュータシステムの構成の一例を示すブロック図である。カード発行システム１０は、ホストコントローラ１５８２により相互に接続されるＣＰＵ１５００、ＲＡＭ１５２０、グラフィックコントローラ１５７５、及び表示装置１５８０を有するＣＰＵ周辺部と、入出力コントローラ１５８４によりホストコントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスクドライブ１５５０、及び入出力チップ１５７０を有するレガシー入出力部とを備える。
【００５４】
ホストコントローラ１５８２は、ＲＡＭ１５２０と、高い転送レートでＲＡＭ１５２０をアクセスするＣＰＵ１５００及びグラフィックコントローラ１５７５とを接続する。ＣＰＵ１５００は、ＲＯＭ１５１０及びＲＡＭ１５２０に格納されたプログラムに基づいて動作し、各部の制御を行う。グラフィックコントローラ１５７５は、ＣＰＵ１５００等がＲＡＭ１５２０内に設けたフレームバッファ上に生成する画像データを取得し、表示装置１５８０上に表示させる。これに代えて、グラフィックコントローラ１５７５は、ＣＰＵ１５００等が生成する画像データを格納するフレームバッファを、内部に含んでもよい。
【００５５】
入出力コントローラ１５８４は、ホストコントローラ１５８２と、比較的高速な入出力装置である通信インターフェイス１５３０、ハードディスクドライブ１５４０、及びＣＤ−ＲＯＭドライブ１５６０を接続する。通信インターフェイス１５３０は、外部の装置や個人カード、新カード等と接続する。ハードディスクドライブ１５４０は、カード発行システム１０が使用するプログラム及びデータを格納する。ＣＤ−ＲＯＭドライブ１５６０は、ＣＤ−ＲＯＭ１５９５からプログラム又はデータを読み取り、ＲＡＭ１５２０を介して入出力チップ１５７０に提供する。
【００５６】
また、入出力コントローラ１５８４には、ＲＯＭ１５１０と、フレキシブルディスクドライブ１５５０や入出力チップ１５７０等の比較的低速な入出力装置とが接続される。ＲＯＭ１５１０は、カード発行システム１０の起動時にＣＰＵ１５００が実行するブートプログラムや、カード発行システム１０のハードウェアに依存するプログラム等を格納する。フレキシブルディスクドライブ１５５０は、フレキシブルディスク１５９０からプログラム又はデータを読み取り、ＲＡＭ１５２０を介して入出力チップ１５７０に提供する。入出力チップ１５７０は、フレキシブルディスク１５９０や、例えばパラレルポート、シリアルポート、キーボードポート、マウスポート等を介して各種の入出力装置を接続する。
【００５７】
カード発行システム１０に提供されるプログラムは、フレキシブルディスク１５９０、ＣＤ−ＲＯＭ１５９５、又はＩＣカード等の記録媒体に格納されて利用者によって提供される。プログラムは、入出力チップ１５７０及び入出力コントローラ１５８４の少なくとも一方を介して、記録媒体から読み出されカード発行システム１０にインストールされて実行される。カード発行システム１０にインストールされて実行されるカード発行プログラムは、カード発行システム１０に働きかけて、図１から図６において説明したカード発行システム１０の機能を実行させる。
【００５８】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをカード発行システム１０に提供してもよい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６０】
【図１】本実施形態に係るカード発行システム１０の構成の一例を示すブロック図である。
【図２】本実施形態に係る類似度算出部１２０における処理の一例を示す図である。
【図３】本実施形態に係る新カード２００に設けられた記憶領域に格納された情報の一例を示す図である。
【図４】本実施形態に係る個人カード３００における電気回路の一例を示す図である。
【図５】本実施形態に係るカード発行システム１０における処理の流れの一例を示すフローチャートである。
【図６】Ｓ１０２０の詳細の一例を示すフローチャートである。
【図７】本実施形態に係るカード発行システム１０として機能するコンピュータシステムの構成の一例を示すブロック図である。
【符号の説明】
【００６１】
１０  カード発行システム、１００  個人カード制御部、１０２  個人カード読み取り部、１０４  個人カード破棄部、１１０  撮像部、１１５  撮像制御部、１２０  類似度算出部、１２５  相違点検出部、１３０  表示部、１４０  新カード作成承認部、１５０  個人情報入力部、１６０  新カード制御部、１６２  新カード作成部、１６４  新カード印刷部、１６６  新カード格納部、１６８  新カード発行部、２００  新カード、３００  個人カード、３１０  ＩＣチップ、３２０  回路配線
【図１】
2005276186.tif 000003
【図２】
2005276186.tif 000004
【図３】
2005276186.tif 000005
【図４】
2005276186.tif 000006
【図５】
2005276186.tif 000007
【図６】
2005276186.tif 000008
【図７】
2005276186.tif 000009